(57)【要約】【課題】段板間の隙間からの物の落下を防止でき、また、階下で発生する音の上階への伝わりを低減できるスケルトン型の階段を提供する。【解決手段】階段１は、蹴込み板を具備しないスケルトン型であって、ささら桁２上に複数の段板３を組み込んで成る。そして、上下に位置する上記段板３、３の重なり幅Ｗは、当該段板３の奥行き寸法の１／３以上２／３未満とされる。上記段板３の裏面には吸音材４が設けられている。さらに、上記段板３の表面であって上記重なりの範囲内にも吸音材４が設けられている。【選択図】図１
2014047578.tif 000002
【特許請求の範囲】
【請求項１】
蹴込み板を具備しないスケルトン型の階段であって、上下に位置する段板の重なり幅が、当該段板の奥行き寸法の１／３以上２／３未満であることを特徴とする階段。
【請求項２】
請求項１に記載の階段において、上下に位置する上記段板の重なり幅が、当該段板の奥行き寸法の１／２以上２／３未満であることを特徴とする階段。
【請求項３】
請求項１または請求項２に記載の階段において、上記段板の裏面に吸音材が設けられていることを特徴とする階段。
【請求項４】
請求項１〜請求項３のいずれか１項に記載の階段において、上記段板の表面の上記重なりの範囲内に吸音材が設けられていることを特徴とする階段。
【請求項５】
請求項４に記載の階段において、上記段板の表面に設けられた吸音材の表面は上記段板の表面よりも滑り難いことを特徴とする階段。
【請求項６】
請求項４または請求項５に記載の階段において、上記段板の表面に設けられた吸音材の表面は上記段板の表面よりも上に位置することを特徴とする階段。
【発明の詳細な説明】
【技術分野】
【０００１】
この発明は、スケルトン型の階段に関する。
【背景技術】
【０００２】
図７に示すように、スケルトン型の階段５０は、ささら桁５１に複数の段板５２が取り付けられて成り、上側の段板５２と下側の段板５２との間に蹴込み板が設けられていない構造を有する（特許文献１参照）。
【先行技術文献】
【特許文献】
【０００３】
【特許文献１】特許第４５４２８８１号
【発明の概要】
【発明が解決しようとする課題】
【０００４】
上記スケルトン型の階段５０では、上記のように、蹴込み板が設けられていないため、上側の段板５２と下側の段板５２との間に形成される隙間から物などが落下するおそれがある。また、上記スケルトン型の階段では、階下空間と階段上の空間は遮蔽されないため、階下で発生する音が上階へと伝わり易くなる他、スカートを履いた女性が階段を使用するのに抵抗感が生じやすい。
【０００５】
この発明は、上記の事情に鑑み、蹴込み板が設けられないことによる問題点を解消できるスケルトン型の階段を提供することを課題とする。
【課題を解決するための手段】
【０００６】
この発明の階段は、上記の課題を解決するために、蹴込み板を具備しないスケルトン型の階段であって、上下に位置する段板の重なり幅が、当該段板の奥行き寸法の１／３以上２／３未満であることを特徴とする。
【０００７】
上記の構成であれば、上下に位置する段板の重なり幅が、当該段板の奥行き寸法の１／３以上２／３未満であるので、蹴込み板を具備しなくても、段板間の隙間から物などが落下し難くなる。また、スカートを履いた女性が階段を使用するときの抵抗感も少なくできる。また、階段の上から下が見え難くなるため、階段を使用するときの恐怖感も少なくなる。
【０００８】
上下に位置する上記段板の重なり幅が、当該段板の奥行き寸法の１／２以上２／３未満としてもよい。
【０００９】
上記段板の裏面に吸音材が設けられていてもよい。また、上記段板の表面であって上記重なりの範囲内に吸音材が設けられていてもよい。これらの構成であれば、階下で発生する音の上階への伝わりを低減することができる。さらに、階段の使用によって発生する音も上記吸音材によって低減し得る。また、上記重なりの範囲内に設けられた吸音材の存在を足裏で感じることができる場合には、利用者は足を段板の奥の方に入れないようにして階段を上ることができる。
【００１０】
上記段板の表面に設けられた吸音材の表面を上記段板の表面よりも滑り難くしてもよい。これによれば、段板間の隙間からの物などが落下するおそれを低減することができる。
【００１１】
上記段板の表面に設けられた吸音材の表面は上記段板の表面よりも上に位置してもよい。これによれば、上記段板の奥側で上記吸音材による段差ができるため、落下防止能力がさらに向上し、また、足裏で上記吸音材を感じることが容易になる。
【発明の効果】
【００１２】
本発明であれば、スケルトン型の階段において蹴込み板が設けられないことによる、段板間の隙間からの物などの落下を防止できる。また、吸音材を設けた構成であれば、階下で発生する音の上階への伝わりを低減できる等の諸効果を奏する。
【図面の簡単な説明】
【００１３】
【図１】この発明の実施形態の階段を示した説明図である。
【図２】同図（Ａ）（Ｂ）は図１に示した階段の配置例を示した説明図である。
【図３】同図（Ａ）（Ｂ）は図１に示した階段の配置例を示した説明図である。
【図４】図１に示した階段の配置例を示した説明図である。
【図５】図１に示した階段の配置例を示した説明図である。
【図６】図１に示した階段の配置例を示した説明図である。
【図７】従来例を示した説明図である。
【発明を実施するための形態】
【００１４】
次に、この発明の実施形態に係る階段を添付図面に基づいて具体的に説明する。なお、本発明に係る階段は、下記の実施形態に示したものに限定されず、その要旨を変更しない範囲において適宜変更して実施できるものである。
【００１５】
図１に示すように、階段１は、蹴込み板を具備しないスケルトン型であって、ささら桁２上に複数の段板３を組み込んで成る。この図ではささら桁２については奥側のささら桁２を示している。そして、上下に位置する上記段板３、３の重なり幅Ｗは、当該段板３の奥行き寸法の１／３以上２／３未満とされる。この実施形態では、上記段板３、３の重なり幅Ｗは、当該段板３の奥行き寸法の１／２に設定している。
【００１６】
例えば、上記段板３の奥行き寸法を３６０ｍｍとすると、上記段板３、３の重なり幅Ｗは１８０ｍｍとなり、踏面寸法は１８０ｍｍとなる。また、一例として、階段勾配は６／７とされ、５５０ｍｍ≦蹴上げ長×２＋踏面長≦６５０ｍｍに設定される。
【００１７】
上記段板３の裏面には、上記ささら桁２との連結箇所以外の裏面全体に吸音材４が設けられている。なお、裏面全体に吸音材４を設けることに限るものではないが、できるだけ広範囲に吸音材４を設けるのが望ましい。さらに、上記段板３の表面であって上記重なりの範囲全体にも吸音材４が設けられている。もちろん、上記重なりの範囲全体に吸音材４を設けることに限るものではないが、上記重なりの範囲内で極力広範囲に吸音材４を設けるのが望ましい。上記吸音材４は、例えば、ウレタンフォームやグラスウールなどの多孔質材料、繊維板などの多孔質板材料などからなる。上記段板３の裏面に設けられる上記吸音材４と上記重なりの範囲内に設けられる吸音材４とが同一素材である必要はない。また、同一素材とする場合でも上記段板３の裏面に設けられる上記吸音材４の厚さを厚くし、上記重なりの範囲内に設けられる吸音材４厚さを薄くするなどの態様を採用できる。また、上記吸音材４に図柄を施しておいてもよい。複数の上記段板３に貼られた複数の上記吸音材４で１つの絵柄が構成されるようにしてもよい。また、上記吸音材４を張り替え可能に設けて模様替えができるようにしてもよい。
【００１８】
図２（Ａ）および図２（Ｂ）は、上記階段１が設けられた家屋１０を示した説明図である。上記階段１は、１．５層吹き抜け部上のロフト部１１と２階居室１２とを接続するように設けられる。上記ロフト部１１と２階居室１２との間には吹き抜け１３が形成されている。上記ロフト部１１および上記２階居室１２の上記吹き抜け１３側には間仕切り１４が設けられている。上記ように階段１を配置すると、通風性、デザイン性、開放感および明るさの確保といったスケルトン型の階段の良さが発揮される。そして、後述するように、上記階段１においてスケルトン型の階段の問題点は解消され、当該階段１を設けたことで快適に生活することができる。
【００１９】
また、図３（Ａ）および図３（Ｂ）に示した例では、上記階段１は、１．５層吹き抜け部上のロフト部１１と２階居室１２とを接続するように設けられる。上記ロフト部１１と上記２階居室１２とは間仕切り１４によって仕切られている。
【００２０】
また、図４に示すように、上記階段１は１階居室１５と２階居室１２との接続に用いることができる。
【００２１】
また、図５に示すように、上記階段１は中２階部１６と２階居室１２との接続に用いることができる。なお、この図５に示す家屋１０では、１階居室１５から上記中２階部１６への接続に従来の階段（図７参照）を用いている。
【００２２】
また、図６に示すように、２階居室１２Ａと２階居室１２Ｂとを隔てる箇所に上記階段１を設けてロフト部１１と２階居室１２Ｂとを接続することができる。
【００２３】
上記の構成であれば、上下に位置する段板３、３の重なり幅Ｗが、当該段板３の奥行き寸法の１／３以上２／３未満であるので、蹴込み板を具備しなくても、段板３、３間の隙間から物などが落下するおそれを低減することができる。また、スカートを履いた女性が階段を使用するときの抵抗感も低減できる。また、階段１の上から下が見え難くなるため、階段１を使用するときの恐怖感も少なくなる。
【００２４】
上記段板３の裏面に吸音材４が設けられており、さらに、上記段板３の表面であって上記重なりの範囲内に吸音材４が設けられているので、階下で発生する音の上階への伝わりを低減できる。さらに、階段１の使用によって発生する音も上記吸音材４によって低減される。また、上記重なりの範囲内に設けられた吸音材４の存在を足裏で感じることができる場合には、利用者は足を段板３の奥の方に入れないようにして階段を上ることができる。上記段板３と上記吸音材４は素材や硬さなどが異なるので、上記吸音材４の存在を足裏で感じることができる。
【００２５】
上記段板３の表面に設けられた吸音材４の表面を上記段板３の表面よりも滑り難くしてもよい。これによれば、段板３、３間の隙間からの物などが落下するおそれを低減することができる。
【００２６】
上記段板３の表面に設けられた吸音材４の表面は上記段板３の表面よりも上に位置してもよい。これによれば、上記段板３の奥側で上記吸音材４による段差ができるため、落下防止能力がさらに向上し、また、足裏で上記吸音材４を感じることが容易になる。
【００２７】
なお、上記の例では上記階段１を家屋に設けたが、商業施設に配備することも可能である。
【符号の説明】
【００２８】
１      階段
２      ささら桁
３      段板
４      吸音材
１０    家屋
【図１】
2014047578.tif 000003
【図２】
2014047578.tif 000004
【図３】
2014047578.tif 000005
【図４】
2014047578.tif 000006
【図５】
2014047578.tif 000007
【図６】
2014047578.tif 000008
【図７】
2014047578.tif 000009